(57)【特許請求の範囲】
【請求項１】
移動局が、パケット交換通信のみをサポートする無線アクセスネットワークを収容する移動管理ノードに対して、該無線アクセスネットワークを介した音声通信に対応可能な否かについて示す能力情報を含むアタッチ要求信号を送信する工程Ａと、
前記移動管理ノードが、前記移動局の接続先ネットワークがサービス制御ネットワークであると判定した場合、前記能力情報に基づいて、該移動局と該サービス制御ネットワークとの間のベアラを設定するか否かについて判定する工程Ｂとを有することを特徴とする移動通信方法。
【請求項２】
前記工程Ｂにおいて、前記移動管理ノードは、前記アタッチ要求信号に含まれている接続先情報に応じて、前記移動局の接続先ネットワークが前記サービス制御ネットワークであるか否かについて判定することを特徴とする請求項１に記載の移動通信方法。
【請求項３】
前記工程Ｂにおいて、前記移動管理ノードは、前記アタッチ要求信号に接続先情報が含まれていない場合、加入者管理サーバからの位置登録応答信号に含まれる前記移動局のデフォルト接続先情報に応じて、該移動局の接続先ネットワークが前記サービス制御ネットワークであるか否かについて判定することを特徴とする請求項１に記載の移動通信方法。
【請求項４】
パケット交換通信のみをサポートする無線アクセスネットワークを収容する移動管理ノードであって、
移動局から、前記無線アクセスネットワークを介した音声通信に対応可能な否かについて示す能力情報を含むアタッチ要求信号を受信するように構成されている受信部と、
前記移動局の接続先ネットワークがサービス制御ネットワークであると判定した場合、前記能力情報に基づいて、該移動局と該サービス制御ネットワークとの間のベアラを設定するか否かについて判定するように構成されている判定部とを具備することを特徴とする移動管理ノード。
【請求項５】
前記判定部は、前記アタッチ要求信号に含まれている接続先情報に応じて、前記移動局の接続先ネットワークが前記サービス制御ネットワークであるか否かについて判定するように構成されていることを特徴とする請求項４に記載の移動管理ノード。
【請求項６】
前記判定部は、前記アタッチ要求信号に接続先情報が含まれていない場合、加入者管理サーバからの位置登録応答信号に含まれる前記移動局のデフォルト接続先情報に応じて、該移動局の接続先ネットワークが前記サービス制御ネットワークであるか否かについて判定するように構成されていることを特徴とする請求項４に記載の移動管理ノード。
【発明の詳細な説明】
【技術分野】
【０００１】
本発明は、移動通信方法及び移動管理ノードに関する。
【背景技術】
【０００２】
「ＶｏＬＴＥ（Ｖｏｉｃｅ  ｏｖｅｒ  ＬＴＥ）通信」の国際標準仕様では、ＵＥ（Ｕｓｅｒ  Ｅｑｕｉｐｍｅｎｔ：移動局）のＬＴＥ（Ｌｏｎｇ  Ｔｅｒｍ  Ｅｖｏｌｕｔｉｏｎ）/Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に対するアタッチ（Ａｔｔａｃｈ）処理において、かかるＵＥと所望のＰＤＮ（ＰＤＮ：Ｐａｃｋｅｔ  Ｄａｔａ  Ｎｅｔｗｏｒｋ）であるＩＭＳのＡＰＮとの間で、ＩＭＳ  ＡＰＮベアラを確立することによって、ＳＩＰ（Ｓｅｓｓｉｏｎ  Ｉｎｉｔｉａｔｉｏｎ  Ｐｒｏｔｏｃｏｌ）による通信を行うことが可能となり、「ＶｏＬＴＥ通信」を行うことが可能となる。
【０００３】
以下、図８及び図９を参照して、従来の移動通信システムにおけるアタッチ処理について説明する。
【０００４】
第１に、図８を参照して、かかるアタッチ処理において、ＵＥ＃１が「ＬＴＥ  Ａｔｔａｃｈ  Ｒｅｑｕｅｓｔ」においてＡＰＮ情報を通知する場合の動作について説明する。
【０００５】
図８に示すように、ステップＳ５０１において、「ＶｏＬＴＥ通信」に非対応のＵＥ＃１は、ＭＭＥ（Ｍｏｂｉｌｉｔｙ  Ｍａｎａｇｅｍｅｎｔ  Ｅｎｔｉｔｙ、移動管理ノード）に対して、「ＶｏＬＴＥ通信」に非対応であることを示す能力情報及びＩＭＳ  ＡＰＮを示すＡＰＮ情報を含む「ＬＴＥ  Ａｔｔａｃｈ  Ｒｅｑｕｅｓｔ」を送信する。
【０００６】
ステップＳ５０２において、ＭＭＥは、ＨＳＳ（Ｈｏｍｅ  Ｓｕｂｓｃｒｉｂｅｒ  Ｓｅｒｖｅｒ、加入者管理サーバ）に対して、ＵＥのＬＴＥ/Ｅ-ＵＴＲＡＮに対する位置登録要求信号を送信する。
【０００７】
ステップＳ５０３において、ＨＳＳは、ＭＭＥに対して、ＩＭＳ  ＡＰＮを示すＤｅｆａｕｌｔ  ＡＰＮ情報を含む位置登録応答信号を送信する。
【０００８】
ステップＳ５０４において、ＭＭＥは、「ＬＴＥ  Ａｔｔａｃｈ  Ｒｅｑｕｅｓｔ」内のＡＰＮ情報によって示されているＩＭＳ  ＡＰＮに対して、かかるＵＥ＃１の接続処理を行い、ＵＥ＃１とＩＭＳ  ＡＰＮとの間で、ＩＭＳ  ＡＰＮベアラを設定する。
【０００９】
ステップＳ５０５において、ＭＭＥは、ＵＥ＃１に対して、アタッチ処理が成功したことを示す「ＬＴＥ  Ａｔｔａｃｈ  Ｒｅｓｐｏｎｓｅ（ＯＫ）」を送信する。
【００１０】
第２に、図９を参照して、かかるアタッチ処理において、ＵＥ＃１が「ＬＴＥ  Ａｔｔａｃｈ  Ｒｅｑｕｅｓｔ」においてＡＰＮ情報を通知しない場合の動作について説明する。
【００１１】
図９に示すように、ステップＳ５１１において、「ＶｏＬＴＥ通信」に非対応のＵＥ＃１は、ＭＭＥに対して、「ＶｏＬＴＥ通信」に非対応であることを示す能力情報を含む「ＬＴＥ  Ａｔｔａｃｈ  Ｒｅｑｕｅｓｔ」を送信する。
【００１２】
ステップＳ５１２において、ＭＭＥは、ＨＳＳに対して、ＵＥのＬＴＥ/Ｅ-ＵＴＲＡＮに対する位置登録要求信号を送信する。
【００１３】
ステップＳ５１３において、ＨＳＳは、ＭＭＥに対して、ＩＭＳ  ＡＰＮを示すＤｅｆａｕｌｔ  ＡＰＮ情報を含む位置登録応答信号を送信する。
【００１４】
ステップＳ５１４において、ＭＭＥは、位置登録応答信号のＤｅｆａｕｌｔ  ＡＰＮ情報によって示されているＩＭＳ  ＡＰＮに対して、かかるＵＥ＃１の接続処理を行い、ＵＥ＃１とＩＭＳ  ＡＰＮとの間で、ＩＭＳ  ＡＰＮベアラを設定する。
【００１５】
ステップＳ５１５において、ＭＭＥは、ＵＥ＃１に対して、アタッチ処理が成功したことを示す「ＬＴＥ  Ａｔｔａｃｈ  Ｒｅｓｐｏｎｓｅ（ＯＫ）」を送信する。
【先行技術文献】
【非特許文献】
【００１６】
【非特許文献１】３ＧＰＰ  ＴＳ２３.４０１
【発明の概要】
【発明が解決しようとする課題】
【００１７】
しかしながら、図８及び図９に示すように、従来の移動通信システムでは、ＵＥ＃１が、「ＶｏＬＴＥ通信」に対応していないにも関わらず、すなわち、ＩＭＳ  ＡＰＮを介して通信を行うことがないにも関わらず、ＵＥ＃１とＩＭＳ  ＡＰＮとの間でＩＭＳ  ＡＰＮベアラを確立してしまい、リソースを無駄に消費してしまうという問題点があった。
【００１８】
そこで、本発明は、上述の課題に鑑みてなされたものであり、ＵＥが「ＶｏＬＴＥ通信」に対応しているか否かについて考慮して、ＵＥのアタッチ処理においてＩＭＳ  ＡＰＮベアラを確立するか否かについて判定することができる移動通信方法及び移動管理ノードを提供することを目的とする。
【課題を解決するための手段】
【００１９】
本発明の第１の特徴は、移動通信方法であって、移動局が、パケット交換通信のみをサポートする無線アクセスネットワークを収容する移動管理ノードに対して、該無線アクセスネットワークを介した音声通信に対応可能な否かについて示す能力情報を含むアタッチ要求信号を送信する工程Ａと、前記移動管理ノードが、前記移動局の接続先ネットワークがサービス制御ネットワークであると判定した場合、前記能力情報に基づいて、該移動局と該サービス制御ネットワークとの間のベアラを設定するか否かについて判定する工程Ｂとを有することを要旨とする。
【００２０】
本発明の第２の特徴は、パケット交換通信のみをサポートする無線アクセスネットワークを収容する移動管理ノードであって、移動局から、前記無線アクセスネットワークを介した音声通信に対応可能な否かについて示す能力情報を含むアタッチ要求信号を受信するように構成されている受信部と、前記移動局の接続先ネットワークがサービス制御ネットワークであると判定した場合、前記能力情報に基づいて、該移動局と該サービス制御ネットワークとの間のベアラを設定するか否かについて判定するように構成されている判定部とを具備することを要旨とする。
【発明の効果】
【００２１】
以上説明したように、本発明によれば、ＵＥが「ＶｏＬＴＥ通信」に対応しているか否かについて考慮して、ＵＥのアタッチ処理においてＩＭＳ  ＡＰＮベアラを確立するか否かについて判定することができる移動通信方法及び移動管理ノードを提供することができる。
【図面の簡単な説明】
【００２２】
【図１】本発明の第１の実施形態に係る移動通信システムの全体構成図である。
【図２】本発明の第１の実施形態に係るＭＭＥの機能ブロック図である。
【図３】本発明の第１の実施形態に係る移動通信システムで用いられるＡｔｔａｃｈ要求に含まれる情報要素の一例を示す図である。
【図４】本発明の第１の実施形態に係るＭＭＥの動作を示すフローチャートである。
【図５】本発明の第１の実施形態に係る移動通信システムの動作を説明するための図である。
【図６】本発明の第１の実施形態に係る移動通信システムの動作を説明するための図である。
【図７】本発明の第１の実施形態に係る移動通信システムの動作を説明するための図である。
【図８】従来の移動通信システムの動作を説明するための図である。
【図９】従来の移動通信システムの動作を説明するための図である。
【発明を実施するための形態】
【００２３】
（本発明の第１の実施形態に係る移動通信システム）
図１乃至図７を参照して、本発明の第１の実施形態に係る移動通信システムについて説明する。
【００２４】
本実施形態に係る移動通信システムは、ＬＴＥ/Ｅ-ＵＴＲＡＮを収容する移動通信システムであって、図１に示すように、ＩＭＳ（ＩＰ  Ｍｕｌｔｉｍｅｄｉａ  Ｓｕｂｓｙｓｔｅｍ、サービス制御ネットワーク）と、Ｓ/Ｐ-ＧＷ（Ｓｅｒｖｉｎｇ/ＰＤＮ-Ｇａｔｅｗａｙ、ゲートウェイ装置）と、ＭＭＥとを具備している。
【００２５】
また、図１に示すように、ＵＥ＃１は、「ＶｏＬＴＥ通信」に対応していない移動局であり、ＵＥ＃２は、「ＶｏＬＴＥ通信」に対応する移動局である。
【００２６】
図２に示すように、ＭＭＥは、受信部１１と、判定部１３と、送信部１２とを具備している。
【００２７】
受信部１１は、ＵＥによって送信されたＬＴＥ/Ｅ-ＵＴＲＡＮに対する「ＬＴＥ  Ａｔｔａｃｈ  Ｒｅｑｕｅｓｔ」を受信するように構成されている。
【００２８】
かかる「ＬＴＥ  Ａｔｔａｃｈ  Ｒｅｑｕｅｓｔ」には、ＵＥが「ＶｏＬＴＥ通信」に対応可能な否かについて示す能力情報が含まれている。
【００２９】
例えば、図３に示すように、３ＧＰＰのＴＳ２４.３０１（Ｒｅｌ-９）に規定されている「ＬＴＥ  Ａｔｔａｃｈ  Ｒｅｑｕｅｓｔ」内の情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」によって、かかる能力情報が通知されるように構成されている。
【００３０】
また、かかる「ＬＴＥ  Ａｔｔａｃｈ  Ｒｅｑｕｅｓｔ」には、ＵＥの所望のＡＰＮを示すＡＰＮ情報が含まれていてもよい。
【００３１】
また、受信部１１は、ＨＳＳによって送信された位置登録応答信号を受信するように構成されている。かかる位置登録応答信号には、ＵＥのＤｅｆａｕｌｔ  ＡＰＮ情報が含まれている。
【００３２】
送信部１２は、ＨＳＳに対して、位置登録要求信号を送信したり、ＵＥに対して、「ＬＴＥ  Ａｔｔａｃｈ  Ｒｅｓｐｏｎｓｅ」を送信したりするように構成されている。
【００３３】
かかる「ＬＴＥ  Ａｔｔａｃｈ  Ｒｅｓｐｏｎｓｅ」には、ＵＥのＬＴＥ/Ｅ-ＵＴＲＡＮに対するアタッチ処理が成功したか否かについて示す情報（ＯＫ/ＮＧ）が含まれている。
【００３４】
判定部１３は、ＵＥのＡＰＮがＩＭＳのＡＰＮであると判定した場合、「ＬＴＥ  Ａｔｔａｃｈ  Ｒｅｑｕｅｓｔ」に含まれる能力情報に基づいて、かかるＵＥとＩＭＳのＡＰＮとの間のＩＭＳ  ＡＰＮベアラを設定するか否かについて判定するように構成されている。
【００３５】
ここで、判定部１３は、「ＬＴＥ  Ａｔｔａｃｈ  Ｒｅｑｕｅｓｔ」に含まれているＡＰＮ情報に応じて、ＵＥのＡＰＮがＩＭＳのＡＰＮであるか否かについて判定するように構成されていてもよい。
【００３６】
また、判定部１３は、「ＬＴＥ  Ａｔｔａｃｈ  Ｒｅｑｕｅｓｔ」にＡＰＮ情報が含まれていない場合、ＨＳＳからの位置登録応答信号に含まれるＵＥのＤｅｆａｕｌｔ  ＡＰＮ情報に応じて、ＵＥのＡＰＮがＩＭＳのＡＰＮであるか否かについて判定するように構成されていてもよい。
【００３７】
以下、図４乃至図７を参照して、本発明の第１の実施形態に係る移動通信システムの動作の一例について説明する。
【００３８】
第１に、図４を参照して、本実施形態に係るＭＭＥの動作について説明する。
【００３９】
図４に示すように、ＵＥのＬＴＥ/Ｅ-ＵＴＲＡｎに対するアタッチ処理において、ＭＭＥは、ステップＳ１１において、「ＬＴＥ  Ａｔｔａｃｈ  Ｒｅｑｕｅｓｔ」に含まれているＡＰＮ情報、或いは、ＨＳＳからの位置登録応答信号に含まれるＵＥのＤｅｆａｕｌｔ  ＡＰＮ情報に基づいて、かかるＵＥをＩＭＳ  ＡＰＮに対して接続させるべきか否かについて、すなわち、ＵＥのＡＰＮがＩＭＳのＡＰＮであるか否かについて判定する。
【００４０】
「ＮＯ」の場合、本動作は、ステップＳ１３に進み、「ＹＥＳ」の場合、本動作は、ステップＳ１２に進む。
【００４１】
ステップＳ１２において、ＭＭＥは、「ＬＴＥ  Ａｔｔａｃｈ  Ｒｅｑｕｅｓｔ」に含まれている能力情報に基づいて、かかるＵＥが「ＶｏＬＴＥ通信」に対応しているか否かについて判定する。
【００４２】
「ＹＥＳ」の場合、本動作は、ステップＳ１３に進み、「ＮＯ」の場合、本動作は、ステップＳ１４に進む。
【００４３】
ステップＳ１３において、ＭＭＥは、かかるＵＥと所望のＡＰＮとの間のＡＰＮベアラを設定し、かかるＵＥに対して、ＵＥのＬＴＥ/Ｅ-ＵＴＲＡＮに対するアタッチ処理が成功した旨を示す「ＬＴＥ  Ａｔｔａｃｈ  Ｒｅｓｐｏｎｓｅ（ＯＫ）」を送信する。
【００４４】
ステップＳ１４において、ＭＭＥは、かかるＵＥとＩＭＳ  ＡＰＮとの間のＩＭＳ  ＡＰＮベアラを設定せず、かかるＵＥに対して、ＵＥのＬＴＥ/Ｅ-ＵＴＲＡＮに対するアタッチ処理が失敗した旨を示す「ＬＴＥ  Ａｔｔａｃｈ  Ｒｅｓｐｏｎｓｅ（ＮＧ）」を送信する。
【００４５】
第２に、図５を参照して、「ＶｏＬＴＥ通信」に非対応のＵＥ＃１のＬＴＥ/Ｅ-ＵＴＲＡＮに対するアタッチ処理について説明する。
【００４６】
図５に示すように、ステップＳ１０１において、ＵＥ＃１は、ＭＭＥに対して、「ＶｏＬＴＥ通信」に非対応であることを示す能力情報及びＩＭＳ  ＡＰＮを示すＡＰＮ情報を含む「ＬＴＥ  Ａｔｔａｃｈ  Ｒｅｑｕｅｓｔ」を送信する。
【００４７】
ステップＳ１０２において、ＭＭＥは、ＨＳＳに対して、ＵＥ＃１のＬＴＥ/Ｅ-ＵＴＲＡＮに対する位置登録要求信号を送信する。
【００４８】
ステップＳ１０３において、ＨＳＳは、ＭＭＥに対して、ＩＭＳ  ＡＰＮを示すＤｅｆａｕｌｔ  ＡＰＮ情報を含む位置登録応答信号を送信する。
【００４９】
ステップＳ１０４において、ＭＭＥは、かかるＵＥ＃１のＡＰＮがＩＭＳのＡＰＮであると判定し、かかるＵＥ＃１が「ＶｏＬＴＥ通信」に対応していないと判定したため、かかるＵＥ＃１とＩＭＳ  ＡＰＮとの間のＩＭＳ  ＡＰＮベアラを設定せず、かかるＵＥ＃１に対して、ＵＥ＃１のＬＴＥ/Ｅ-ＵＴＲＡＮに対するアタッチ処理が失敗した旨を示す「ＬＴＥ  Ａｔｔａｃｈ  Ｒｅｓｐｏｎｓｅ（ＮＧ）」を送信する。
【００５０】
その後、ＵＥ＃１は、所定期間経過後に、再度、ＭＭＥに対して、「ＶｏＬＴＥ通信」に非対応であることを示す能力情報及びＩＭＳ  ＡＰＮを示すＡＰＮ情報を含む「ＬＴＥ  Ａｔｔａｃｈ  Ｒｅｑｕｅｓｔ」を送信してもよい。
【００５１】
或いは、ＵＥ＃１は、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  ＥＤＧＥ  Ｒａｄｉｏ  Ａｃｃｅｓｓ  Ｎｅｔｗｏｒｋ）に対する「Ａｔｔａｃｈ  Ｒｅｑｕｅｓｔ」を送信してもよい。
【００５２】
第３に、図６を参照して、「ＶｏＬＴＥ通信」に非対応のＵＥ＃１のＬＴＥ/Ｅ-ＵＴＲＡＮに対するアタッチ処理について説明する。
【００５３】
図６に示すように、ステップＳ２０１において、ＵＥ＃１は、ＭＭＥに対して、「ＶｏＬＴＥ通信」に非対応であることを示す能力情報を含む「ＬＴＥ  Ａｔｔａｃｈ  Ｒｅｑｕｅｓｔ」を送信する。
【００５４】
ステップＳ２０２において、ＭＭＥは、ＨＳＳに対して、ＵＥのＬＴＥ/Ｅ-ＵＴＲＡＮに対する位置登録要求信号を送信する。
【００５５】
ステップＳ２０３において、ＨＳＳは、ＭＭＥに対して、ＩＭＳ  ＡＰＮを示すＤｅｆａｕｌｔ  ＡＰＮ情報を含む位置登録応答信号を送信する。
【００５６】
ステップＳ２０４において、ＭＭＥは、かかるＵＥ＃１のＡＰＮがＩＭＳのＡＰＮであると判定し、かかるＵＥ＃１が「ＶｏＬＴＥ通信」に対応していないと判定したため、かかるＵＥ＃１とＩＭＳ  ＡＰＮとの間のＩＭＳ  ＡＰＮベアラを設定せず、かかるＵＥ＃１に対して、ＵＥ＃１のＬＴＥ/Ｅ-ＵＴＲＡＮに対するアタッチ処理が失敗した旨を示す「ＬＴＥ  Ａｔｔａｃｈ  Ｒｅｓｐｏｎｓｅ（ＮＧ）」を送信する。
【００５７】
その後、ＵＥ＃１は、所定期間経過後に、再度、ＭＭＥに対して、「ＶｏＬＴＥ通信」に非対応であることを示す能力情報及びＩＭＳ  ＡＰＮを示すＡＰＮ情報を含む「ＬＴＥ  Ａｔｔａｃｈ  Ｒｅｑｕｅｓｔ」を送信してもよい。
【００５８】
或いは、ＵＥ＃１は、ＵＴＲＡＮ/ＧＥＲＡＮに対する「Ａｔｔａｃｈ  Ｒｅｑｕｅｓｔ」を送信してもよい。
【００５９】
第４に、図７を参照して、「ＶｏＬＴＥ通信」に対応のＵＥ＃２のＬＴＥ/Ｅ-ＵＴＲＡＮに対するアタッチ処理について説明する。
【００６０】
図７に示すように、ステップＳ３０１において、ＵＥ＃２は、ＭＭＥに対して、「ＶｏＬＴＥ通信」に対応であることを示す能力情報及びＩＭＳ  ＡＰＮを示すＡＰＮ情報を含む「ＬＴＥ  Ａｔｔａｃｈ  Ｒｅｑｕｅｓｔ」を送信する。
【００６１】
或いは、ステップＳ３０１において、ＵＥ＃２は、ＭＭＥに対して、「ＶｏＬＴＥ通信」に対応であることを示す能力情報を含み、ＵＥ＃２のＡＰＮ情報を含まない「ＬＴＥ  Ａｔｔａｃｈ  Ｒｅｑｕｅｓｔ」を送信する。
【００６２】
ステップＳ３０２において、ＭＭＥは、ＨＳＳに対して、ＵＥ＃１のＬＴＥ/Ｅ-ＵＴＲＡＮに対する位置登録要求信号を送信する。
【００６３】
ステップＳ３０３において、ＨＳＳは、ＭＭＥに対して、ＩＭＳ  ＡＰＮを示すＤｅｆａｕｌｔ  ＡＰＮ情報を含む位置登録応答信号を送信する。
【００６４】
ＭＭＥは、かかるＵＥ＃２のＡＰＮがＩＭＳのＡＰＮであると判定し、かかるＵＥ＃１が「ＶｏＬＴＥ通信」に対応していると判定したため、ステップＳ３０４において、かかるＵＥ＃１とＩＭＳ  ＡＰＮとの間のＩＭＳ  ＡＰＮベアラを設定し、ステップＳ３０５において、かかるＵＥ＃２に対して、ＵＥ＃２のＬＴＥ/Ｅ-ＵＴＲＡＮに対するアタッチ処理が成功した旨を示す「ＬＴＥ  Ａｔｔａｃｈ  Ｒｅｓｐｏｎｓｅ（ＯＫ）」を送信する。
【００６５】
本実施形態に係る移動通信システムによれば、ＭＭＥが、ＵＥ＃１/ＵＥ＃２をＩＭＳ  ＡＰＮに対して接続させるべきである、すなわち、ＵＥ＃１/ＵＥ＃２のＡＰＮがＩＭＳのＡＰＮであると判定した場合には、「ＬＴＥ  Ａｔｔａｃｈ  Ｒｅｑｕｅｓｔ」に含まれている能力情報に基づいて、ＵＥ＃１/ＵＥ＃２が「ＶｏＬＴＥ通信」に対応しているか否かについて判定し、かかる判定結果を考慮して、ＵＥ＃１/ＵＥ＃２とＩＭＳ  ＡＰＮとの間のＡＰＮベアラを設定するか否かについて判定するように構成されているため、無駄なリソースの消費を回避することができる。
【００６６】
以上に述べた本実施形態の特徴は、以下のように表現されていてもよい。
【００６７】
本実施形態の第１の特徴は、移動通信方法であって、ＵＥ（移動局）が、Ｅ-ＵＴＲＡＮ（パケット交換通信のみをサポートする無線アクセスネットワーク）を収容するＭＭＥ（移動管理ノード）に対して、「ＶｏＬＴＥ通信（無線アクセスネットワークを介した音声通信）に対応可能な否かについて示す能力情報を含む「ＬＴＥ  Ａｔｔａｃｈ  Ｒｅｑｕｅｓｔ（アタッチ要求信号）」を送信する工程Ａと、ＭＭＥが、ＵＥのＡＰＮ（接続先ネットワーク）がＩＭＳのＡＰＮ（サービス制御ネットワーク）であると判定した場合、かかる能力情報に基づいて、ＵＥとＩＭＳのＡＰＮとの間のＩＭＳ  ＡＰＮベアラを設定するか否かについて判定する工程Ｂとを有することを要旨とする。
【００６８】
本実施形態の第１の特徴において、工程Ｂにおいて、ＭＭＥは、「ＬＴＥ  Ａｔｔａｃｈ  Ｒｅｑｕｅｓｔ」に含まれているＡＰＮ情報（接続先情報）に応じて、ＵＥのＡＰＮがＩＭＳのＡＰＮであるか否かについて判定してもよい。
【００６９】
本実施形態の第１の特徴において、工程Ｂにおいて、ＭＭＥは、「ＬＴＥ  Ａｔｔａｃｈ  Ｒｅｑｕｅｓｔ」にＡＰＮ情報が含まれていない場合、ＨＳＳ（加入者管理サーバ）からの位置登録応答信号に含まれるＵＥのＤｅｆａｕｌｔ  ＡＰＮ情報（デフォルト接続先情報）に応じて、ＵＥのＡＰＮがＩＭＳのＡＰＮであるか否かについて判定してもよい。
【００７０】
本実施形態の第２の特徴は、Ｅ-ＵＴＲＡＮを収容するＭＭＥであって、ＵＥから、「ＶｏＬＴＥ通信」に対応可能な否かについて示す能力情報を含む「ＬＴＥ  Ａｔｔａｃｈ  Ｒｅｑｕｅｓｔ」を受信するように構成されている受信部１１と、ＵＥのＡＰＮがＩＭＳのＡＰＮであると判定した場合、かかる能力情報に基づいて、ＵＥとＩＭＳのＡＰＮとの間のＩＭＳ  ＡＰＮベアラを設定するか否かについて判定するように構成されている判定部１３とを具備することを要旨とする。
【００７１】
本実施形態の第２の特徴において、判定部１３は、「ＬＴＥ  Ａｔｔａｃｈ  Ｒｅｑｕｅｓｔ」に含まれているＡＰＮ情報に応じて、ＵＥのＡＰＮがＩＭＳのＡＰＮであるか否かについて判定するように構成されていてもよい。
【００７２】
本実施形態の第２の特徴において、判定部１３は、「ＬＴＥ  Ａｔｔａｃｈ  Ｒｅｑｕｅｓｔ」にＡＰＮ情報が含まれていない場合、ＨＳＳからの位置登録応答信号に含まれるＵＥのＤｅｆａｕｌｔ  ＡＰＮ情報に応じて、ＵＥのＡＰＮがＩＭＳのＡＰＮであるか否かについて判定するように構成されていてもよい。
【００７３】
なお、上述のＵＥ＃１/ＵＥ＃２やＭＭＥやＨＳＳやＳ/Ｐ-ＧＷの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ＃１/ＵＥ＃２やＭＭＥやＨＳＳやＳ/Ｐ-ＧＷ内に設けられていてもよい。また、かかる記憶媒体及びプロセッサは、ディスクリートコンポーネントとしてＵＥ＃１/ＵＥ＃２やＭＭＥやＨＳＳやＳ/Ｐ-ＧＷ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ＩＭＳ…サービス制御ネットワーク
ＨＳＳ…加入者管理サーバ
Ｓ/Ｐ-ＧＷ…ゲートウェイ装置
ＵＥ＃１、ＵＥ＃２…移動局
ＭＭＥ…移動管理ノード
１１…受信部
１２…送信部
１３…判定部
【図１】
0005303589.tif 000002
【図２】
0005303589.tif 000003
【図３】
0005303589.tif 000004
【図４】
0005303589.tif 000005
【図５】
0005303589.tif 000006
【図６】
0005303589.tif 000007
【図７】
0005303589.tif 000008
【図８】
0005303589.tif 000009
【図９】
0005303589.tif 000010